(57)【要約】【課題】ゴミ袋に多量のゴミを入れることが出来ると共に、かかるゴミが多量に入れられたゴミ袋の口を縛る作業を効率良く行うことが出来る、新規な構造のゴミ袋支持具を提供することを、目的とする。【解決手段】支持部材４８の周壁部分５０にゴミ袋９０の外部への膨らみを許容する開口窓６０，６２，６４，６６を形成すると共に、ゴミ袋９０の開口が蓋体７６によって塞がれるようにし、更に、開口部枠体４６によって蓋体７６の周囲で保持されたゴミ袋９０の開口周縁部９２を、開口部枠体４６から外して蓋体７６の上方で蓋体７６を跨いだ両側部分において相互に結ぶことが出来るようにすると共に、開口周縁部９２が結ばれたゴミ袋９０を、支持部材４８における周壁部分５０と開口部枠体４６を周上の同じ部分で開放する開放部７２，７４から側方に引き抜いて取り出すことが出来るようにした。【選択図】図１
2009012879.tif 000002
【特許請求の範囲】
【請求項１】
ゴミ袋の開口周縁部を開口状態に保持する開口部枠体と、該ゴミ袋が鉛直上方に向かって開口するようにして該開口部枠体を設置面よりも上方に支持せしめる支持部材とを、含んで構成されたゴミ袋支持具において、
前記支持部材において前記ゴミ袋の周りに位置せしめられる周壁部分に開口窓を設けて、該ゴミ袋が該開口窓を通じて外方に膨らむことを許容すると共に、
前記開口部枠体で保持された該ゴミ袋の開口を塞ぐようにして配設されて、中央部分に投入口が開口形成された蓋体を設け、
該開口部枠体によって該蓋体の周囲で保持された該ゴミ袋の開口周縁部を、該開口部枠体から外して該蓋体の上方で該蓋体を跨いだ両側部分において相互に結ぶことが出来るようにする一方、
該支持部材および該開口部枠体において、該支持部材における前記周壁部分と該開口部枠体を周上の同じ部分で開放する開放部を形成し、ゴミが投入されることによって該開口窓を通じて外方に膨らんで且つ該開口部枠体内で該蓋体を跨いで開口周縁部が結ばれた該ゴミ袋を、かかる開放部から側方に引き抜いて取り出すことが出来るようにしたことを特徴とするゴミ袋支持具。
【請求項２】
前記開口部枠体が閉じた環体形状とされていると共に、該開口部枠体が周方向で分割可能とされており、該開口部枠体において分離可能とされた部分を他の部分から離脱せしめることによって、該開口部枠体に前記開放部を形成するようにした請求項１に記載のゴミ袋支持具。
【請求項３】
前記支持部材の前記周壁部分が周方向で分割可能とされていると共に、該周壁部分において分離可能とされた可動壁部に対して該周壁部分の周方向で隣接する隣接壁部に前記開口窓が形成されており、該可動壁部を該周壁部分における他の部分から離脱せしめることによって、該支持部材の該周壁部分に前記開放部を形成する一方、該支持部材の該周壁部分に該開放部が形成されて、該隣接壁部に形成された該開口窓が該可動壁部側に開口せしめられることにより、前記ゴミ袋を該隣接壁部に形成された該開口窓の該可動壁部側への開口方向に引き抜いて取り出すことが出来るようにした請求項１又は２に記載のゴミ袋支持具。
【請求項４】
前記蓋体が取り外し可能とされている請求項１乃至３の何れか１項に記載のゴミ袋支持具。
【請求項５】
前記開口部枠体に対して、前記蓋体の回動中心軸となる蓋体用回動中心軸が設けられている一方、該蓋体に対して、該蓋体を該蓋体用回動中心軸回りに回動可能な状態で組み付ける蓋体組付片が設けられており、該蓋体組付片が周上の一部に切欠が形成された周壁形状とされていると共に、該蓋体組付片が該切欠を通じて該蓋体用回動中心軸に対して該蓋体用回動中心軸の軸直角方向で着脱可能に組み付けられることにより、該蓋体が取り外し可能とされている請求項４に記載のゴミ袋支持具。
【請求項６】
前記蓋体の前記蓋体用回動中心軸の軸方向での変位を規制する蓋体変位規制突起が設けられている請求項５に記載のゴミ袋支持具。
【請求項７】
前記蓋体の前記蓋体用回動中心軸回りの回動を制限する蓋体回動制限突起が設けられている請求項５又は６に記載のゴミ袋支持具
【請求項８】
前記蓋体用回動中心軸の外周面に対して、該蓋体用回動中心軸の軸直角方向で対向位置せしめられる一対の平坦面が形成されており、前記蓋体組付片が前記切欠を通じて該蓋体用回動中心軸に対して該一対の平坦面の対向方向に直交する方向で着脱可能に組み付けられるようになっている請求項５乃至７の何れか１項に記載のゴミ袋支持具。
【請求項９】
前記蓋体を外側から覆う外蓋部材が設けられている請求項１乃至８の何れか１項に記載のゴミ袋支持具。
【請求項１０】
前記外蓋部材が取り外し可能とされている請求項９に記載のゴミ袋支持具。
【請求項１１】
前記開口部枠体に対して、前記外蓋部材の回動中心軸となる外蓋用回動中心軸が設けられている一方、該外蓋部材に対して、該外蓋部材を該外蓋用回動中心軸回りに回動可能な状態で組み付ける外蓋組付片が設けられており、該外蓋組付片が周上の一部に切欠が形成された周壁形状とされていると共に、該外蓋組付片が該切欠を通じて該外蓋用回動中心軸に対して該外蓋用回動中心軸の軸直角方向で着脱可能に組み付けられることにより、該外蓋部材が取り外し可能とされている請求項１０に記載のゴミ袋支持具。
【請求項１２】
前記外蓋部材の前記外蓋用回動中心軸の軸方向での変位を規制する外蓋変位規制突起が設けられている請求項１１に記載のゴミ袋支持具。
【請求項１３】
前記外蓋部材の前記外蓋用回動中心軸回りの回動を制限する外蓋回動制限突起が設けられている請求項１１又は１２に記載のゴミ袋支持具。
【請求項１４】
前記外蓋用回動中心軸の外周面に対して、該外蓋用回動中心軸の軸直角方向で対向位置せしめられる一対の平坦面が形成されており、前記外蓋組付片が前記切欠を通じて該外蓋用回動中心軸に対して該一対の平坦面の対向方向に直交する方向で着脱可能に組み付けられるようになっている請求項１１乃至１３の何れか１項に記載のゴミ袋支持具。
【請求項１５】
前記開口窓を外側から覆うカバーが設けられている請求項１乃至１４の何れか１項に記載のゴミ袋支持具。
【請求項１６】
前記開口窓が前記カバーで覆われた状態と該カバーで覆われていない状態の両方をとることが出来るようにした請求項１５に記載のゴミ袋支持具。
【請求項１７】
前記支持部材が、前記設置面に載置されるベース部材を含んで構成されている請求項１乃至１６の何れか１項に記載のゴミ袋支持具。
【請求項１８】
前記支持部材によって前記設置面の上方に支持される支持枠体が設けられていると共に、該支持枠体に対して、内側へ延び出す内側延出部が設けられており、該内側延出部の延出端によって前記開口部枠体が構成されている請求項１乃至１７の何れか１項に記載のゴミ袋支持具。
【発明の詳細な説明】
【技術分野】
【０００１】
本発明は、ゴミ袋を開口状態で支持するためのゴミ袋支持具に関するものである。
【背景技術】
【０００２】
一般家庭や事業所等から排出されるゴミは、予め定められた収集日に捨てるようになっていることから、収集日までの間、袋に入れた状態で溜めておくことが一般的に行われている。
【０００３】
ところで、ゴミを入れる袋というのは、スーパーマーケットやコンビニエンスストア等において商品を購入した際に無料で配布されるレジ袋が用いられることが多い。これは、市販のゴミ袋が半透明となった際に、レジ袋も半透明となったことからも明らかである。かかるレジ袋は、持ち運びに便利なように、手提げ部分が設けられている。また、袋の口を縛ることも出来るようになっている。それ故、レジ袋は、ゴミを入れる袋として重宝されている。
【０００４】
しかしながら、近年、環境に対する配慮から、スーパーマーケット等において、レジ袋を削減する運動が行われており、買い物袋を持参することが奨励されている。また、一部の生協やスーパーマーケットでは、レジ袋を有料で配布することが行われている。加えて、２００６年に改正された容器包装リサイクル法が施行されたことにより、レジ袋の削減・有料化が各地のスーパーマーケット等で行われようとしている。それ故、将来的には、ゴミを入れる袋は、殆どの場合、市販のゴミ袋だけになると予想される。
【０００５】
そこにおいて、地方自治体によっては、ゴミ袋として、地方自治体が認定するゴミ袋だけを認めていることがある。この場合、地方自治体が認定するゴミ袋を購入する必要があるが、かかる地方自治体認定のゴミ袋には、多くの場合、地方自治体によるゴミの収集料金が含まれている。それ故、地方自治体認定のゴミ袋は、一般的なゴミ袋よりも高価になっており、ゴミを捨てるために、わざわざ高価な地方自治体認定のゴミ袋を購入しなければならないことが社会問題になりつつある。
【０００６】
勿論、これまで市販のゴミ袋（類似する地方自治体認定のゴミ袋を含む）が使用されていなかった訳ではないが、市販のゴミ袋は、レジ袋に比して、容量が数十リットルと大きいことから、少量のゴミを捨てる場合には不向きであり、多量のゴミを１度に纏めて捨てる場合に使用されることが殆どであった。具体的には、例えば、長期間溜めておいても腐食や悪臭の心配のないプラスチック製の容器や包装等のゴミ（所謂、プラスチックゴミ）を捨てる場合に使用されることが多かった。
【０００７】
このようなゴミ袋の使用は、１枚のゴミ袋を使用する際にも費用がかかるので、出来るだけ沢山のゴミを１度に纏めて捨てようとする意識が働くことに起因するものであり、今後、このような考え方が益々浸透すると予想される。それ故、１枚のゴミ袋に沢山のゴミを入れる工夫が、今まで以上に必要となってくる。
【０００８】
また、市販のゴミ袋には、殆どの場合、レジ袋のように、持ち手部分や口を縛る部分が設けられていないことから、沢山のゴミが収容されたゴミ袋の口を縛る工夫も必要になってくる。
【０００９】
そこにおいて、従来では、ゴミ袋にゴミを入れて収集日まで溜めておく方法として、ポリバケツ等の収容容器内において開口状態で支持されているゴミ袋にゴミを入れて溜める方法が、一般的に採用されていた。
【００１０】
しかしながら、このような方法では、ゴミ袋が収容容器の容積以上に大きく膨らむことがないから、ゴミ袋の容量が収容容器の容積よりも小さい場合は問題ないが、ゴミ袋の容量が収容容器の容積よりも大きい場合、収容容器内ではゴミ袋がゴミで一杯になっていても、収容容器から取り出すと、ゴミ袋がゴミで一杯になっていないことが殆どであった。従って、収容容器内で開口状態に支持されたゴミ袋にゴミを入れる場合、ゴミ袋に沢山のゴミを入れることが難しいという問題があった。
【００１１】
そこで、このような問題に対処するために、ゴミ袋に多量のゴミを入れた際のゴミ袋の膨らみを許容するゴミ袋の支持スタンドが提案されている（特許文献１参照）。
【００１２】
しかしながら、特許文献１に記載のゴミ袋の支持スタンドで支持されたゴミ袋にゴミを入れる場合、ゴミ袋が膨らむことは許容されるが、ゴミをゴミ袋内に押し込むようにしない限り、多量のゴミをゴミ袋に入れることは難しい。特に、プラスチックゴミは嵩張ることから、押し込まなければ多量に入れることは非常に難しい。
【００１３】
加えて、特許文献１に記載のゴミ袋の支持スタンドで支持されたゴミ袋にゴミを入れる場合には、ゴミ袋の口を縛る作業を、ゴミ袋に収容されたゴミを押え込みながら行わなければならず、かかる作業が非常に面倒である。
【００１４】
また、持ち手部分や口を縛る部分が設けられていない市販のゴミ袋を使用する場合には、支持スタンドによってゴミ袋を支持する際に、ゴミ袋の開口端側において口を縛る部分を予め確保しておく必要もある。
【００１５】
なお、特許文献２には、留め金によって閉鎖状態に維持される中蓋にゴミの投入口を形成したゴミ箱が開示されている。かかるゴミ箱を使用すれば、ゴミをゴミ袋内に押し込むことが可能になる。しかしながら、ゴミ袋がゴミ箱内において開口状態で支持されるようになっていることから、多量のゴミをゴミ袋に入れることが難しいことに変わりはない。
【００１６】
【特許文献１】特開２００６−７６６９４号公報
【特許文献２】特開２００２−３７０８０１号公報
【発明の開示】
【発明が解決しようとする課題】
【００１７】
ここにおいて、本発明は、上述の如き事情を背景として為されたものであって、その解決課題とするところは、ゴミ袋に多量のゴミを入れることが出来ると共に、かかるゴミが多量に入れられたゴミ袋の口を縛る作業を効率良く行うことが出来る、新規な構造のゴミ袋支持具を提供することにある。
【課題を解決するための手段】
【００１８】
以下、このような課題を解決するために為された本発明の態様を記載する。なお、以下に記載の各態様において採用される構成要素は、可能な限り任意の組み合わせで採用可能である。
【００１９】
本発明は、ゴミ袋の開口周縁部を開口状態に保持する開口部枠体と、ゴミ袋が鉛直上方に向かって開口するようにして開口部枠体を設置面よりも上方に支持せしめる支持部材とを、含んで構成されたゴミ袋支持具において、支持部材においてゴミ袋の周りに位置せしめられる周壁部分に開口窓を設けて、ゴミ袋が開口窓を通じて外方に膨らむことを許容すると共に、開口部枠体で保持されたゴミ袋の開口を塞ぐようにして配設されて、中央部分に投入口が開口形成された蓋体を設け、開口部枠体によって蓋体の周囲で保持されたゴミ袋の開口周縁部を、該開口部枠体から外して蓋体の上方で蓋体を跨いだ両側部分において相互に結ぶことが出来るようにする一方、支持部材および開口部枠体において、支持部材における周壁部分と開口部枠体を周上の同じ部分で開放する開放部を形成し、ゴミが投入されることによって開口窓を通じて外方に膨らんで且つ開口部枠体内で蓋体を跨いで開口周縁部が結ばれたゴミ袋を、かかる開放部から側方に引き抜いて取り出すことが出来るようにしたことを、特徴とする。
【００２０】
このような本発明に従う構造とされたゴミ袋支持具においては、ゴミ袋の開口窓を通じた外方への膨らみが許容されていることから、ゴミ袋が膨らむまでゴミを入れることが可能となる。
【００２１】
そこにおいて、本発明のゴミ袋支持具にあっては、ゴミ袋の開口が蓋体によって塞がれるようになっていることから、ゴミ袋に入れられたゴミを蓋体によってゴミ袋内に押し込むことが可能となる。
【００２２】
従って、本発明のゴミ袋支持具においては、多量のゴミをゴミ袋に入れることが可能となる。
【００２３】
また、本発明のゴミ袋支持具においては、開口部枠体によって蓋体の周囲で保持されたゴミ袋の開口周縁部を、開口部枠体から外して蓋体の上方で蓋体を跨いだ両側部分において相互に結ぶことが出来るようになっていることから、ゴミ袋に入れられたゴミが蓋体によって押え込まれた状態で、ゴミ袋の開口周縁部を結ぶこと、即ち、ゴミ袋の口を縛ることが可能となる。
【００２４】
しかも、ゴミが投入されることによって開口窓を通じて外方に膨らんで且つ開口部枠体内で蓋体を跨いで開口周縁部が結ばれたゴミ袋を、支持部材における周壁部分と開口部枠体を周上の同じ部分で開放する開放部から側方に引き抜いて取り出すことが出来るようになっていることから、ゴミ袋の開口周縁部が結ばれた状態で、蓋体によるゴミの押え込み状態を解除することが可能となる。その結果、ゴミ袋を、開口周縁部が結ばれた状態で、ゴミ袋支持具から取り出すことが可能となる。
【００２５】
従って、本発明のゴミ袋支持具においては、ゴミが多量に入れられたゴミ袋の口を縛る作業を効率良く行うことが可能となる。
【００２６】
なお、本発明における開口部枠体は、ゴミ袋の開口周縁部を開口状態にしておくことが出来れば、その形状や構造等は、特に限定されるものではない。また、開口部枠体によって開口状態とされたゴミ袋の開口周縁部は、開口部枠体に対して係止されていても良いし、開口部枠体とは異なる係止部材に対して係止されていても良い。これにより、多量のゴミが入れられた状態でも、ゴミ袋の開口周縁部を開口状態にしておくことが有利に実現され得ることとなる。そこにおいて、ゴミ袋の開口周縁部を開口部枠体又は係止部材に対して係止する方法は、多量のゴミが入れられた状態でもゴミ袋の開口周縁部を開口部枠体又は係止部材に対して係止しておくことが出来るのであれば、特に限定されるものではなく、例えば、ゴミ袋の開口周縁部を開口部枠体又は係止部材に対して引っ掛ける方法やゴミ袋の開口周縁部を開口部枠体又は係止部材に対して引っ付ける方法、更には、開口部枠体又は係止部材に組み付けられる組付部材を別途用意し、かかる組付部材を開口部枠体又は係止部材に対して組み付けることにより、ゴミ袋の開口周縁部を開口部枠体又は係止部材と組付部材によって挟む方法等が、何れも、採用可能である。
【００２７】
また、本発明において、開口部枠体は、閉じた環体形状とされている必要はなく、例えば、周方向で分断された形状であっても良い。なお、周方向で分断された形状の開口部枠体の場合、かかる周方向で分断されている部分によって、開放部が常時形成されていることになる。
【００２８】
さらに、本発明において、ゴミ袋は厳密に鉛直上方に向かって開口している必要はなく、実質的に鉛直上方に向かって開口していれば良い。即ち、本発明では、ゴミ袋が鉛直方向に対して多少傾いた方向で上方に向かって開口していても良い。
【００２９】
更にまた、本発明において、開口窓は一つだけ形成されていても良いし、支持部材における周壁部分の周方向に並ぶようにして複数形成されていても良い。そこにおいて、本発明では、支持部材における周壁部分の全体に亘って開口窓が形成されていても良い。換言すれば、開口窓が形成されたことにより、支持部材において周壁部分が存在しなくなっていても良い。この場合、支持部材は、例えば、建築構造物の柱や壁面，冷蔵庫等の電化製品の側面，収納棚等の家具の側面等に取り付けられる構造を備えていれば良い。即ち、本発明の支持部材は、設置面に埋め込まれる等して、設置面から上方に突出するように設けられている必要はない。
【００３０】
また、本発明において、蓋体は開口部枠体で保持されたゴミ袋の開口を塞いだ状態に維持されることが望ましい。これにより、ゴミ袋に入れられたゴミを蓋体で押え込むことが有利に実現され得ることとなる。なお、蓋体をゴミ袋の開口を塞いだ状態に維持する方法としては、例えば、実開昭５８−２５４７０号公報等に記載の掛止金具や実用新案登録第２５２８２１９号公報に記載の止め具装置等を用いることによって、有利に実現される。
【００３１】
さらに、本発明において、開放部は周上の１箇所に形成されている必要はなく、周上の複数箇所に形成されていても良い。そこにおいて、周上の複数箇所に開放部が形成されている場合には、ゴミ袋をゴミ袋支持具から取り出す方向を選ぶことが可能となる。その結果、ゴミ袋支持具の設置位置や設置方向の選択自由度を向上させることが可能となる。
【００３２】
また、本発明においては、開口部枠体が閉じた環体形状とされていると共に、開口部枠体が周方向で分割可能とされており、開口部枠体において分離可能とされた部分を他の部分から離脱せしめることによって、開口部枠体に開放部を形成することが望ましい。これにより、ゴミ袋をゴミ袋支持具から取り出す場合のみにおいて、開口部枠体に開放部を形成することが可能となる。その結果、開放部が形成されていない状態での開口部枠体の強度、即ち、ゴミ袋支持具の使用時における開口部枠体の強度を有利に確保することが可能となる。
【００３３】
さらに、本発明においては、支持部材の周壁部分が周方向で分割可能とされていると共に、周壁部分において分離可能とされた可動壁部に対して周壁部分の周方向で隣接する隣接壁部に開口窓が形成されており、可動壁部を周壁部分における他の部分から離脱せしめることによって、支持部材の周壁部分に開放部を形成する一方、支持部材の周壁部分に開放部が形成されて、隣接壁部に形成された開口窓が可動壁部側に開口せしめられることにより、ゴミ袋を隣接壁部に形成された開口窓の可動壁部側への開口方向に引き抜いて取り出すことが出来るようにすることが望ましい。これにより、ゴミ袋をゴミ袋支持具から取り出す場合のみにおいて、支持部材の周壁部分に開放部を形成することが可能となる。その結果、開放部が形成されていない状態での支持部材の周壁部分の強度、即ち、ゴミ袋支持具の使用時における支持部材の周壁部分の強度を有利に確保することが可能となる。
【００３４】
更にまた、本発明においては、蓋体が取り外し可能とされていることが望ましい。これにより、例えば、投入口が形成されていない密閉用蓋体を別途用意しておき、投入口が形成された蓋体を、かかる密閉用蓋体に取り換えることによって、ゴミ袋の開口を密閉することも可能となる。その結果、ゴミ袋に入れるゴミが生ゴミである場合に、かかる生ゴミの臭いが外部に漏れないようにすることが可能となる。
【００３５】
そこにおいて、蓋体が取り外し可能とされている場合、開口部枠体に対して、蓋体の回動中心軸となる蓋体用回動中心軸が設けられている一方、蓋体に対して、蓋体を蓋体用回動中心軸回りに回動可能な状態で組み付ける蓋体組付片が設けられており、蓋体組付片が周上の一部に切欠が形成された周壁形状とされていると共に、蓋体組付片が切欠を通じて蓋体用回動中心軸に対して蓋体用回動中心軸の軸直角方向で着脱可能に組み付けられることにより、蓋体が取り外し可能とされていることが望ましい。これにより、簡単な構造で、蓋体を取り外し可能にすることが出来る。
【００３６】
また、上述の如き構成を採用する場合、蓋体の蓋体用回動中心軸の軸方向での変位を規制する蓋体変位規制突起が設けられていることが望ましい。これにより、蓋体を蓋体用回動中心軸の軸方向で位置決めすることが可能となる。
【００３７】
更にまた、上述の如き構成を採用する場合、蓋体の蓋体用回動中心軸回りの回動を制限する蓋体回動制限突起が設けられていても良い。
【００３８】
また、上述の如き構成を採用する場合、蓋体用回動中心軸の外周面に対して、蓋体用回動中心軸の軸直角方向で対向位置せしめられる一対の平坦面が形成されており、蓋体組付片が切欠を通じて蓋体用回動中心軸に対して一対の平坦面の対向方向に直交する方向で着脱可能に組み付けられるようになっていることが望ましい。これにより、蓋体組付片が切欠を通じて蓋体用回動中心軸に対して軸直角方向で着脱可能に組み付けられることが有利に実現され得ることとなる。即ち、蓋体用回動中心軸において一対の平坦面が形成された部分は、一対の平坦面の対向方向における中心軸線から外周面までの距離が、他の部分に比して、短くなることから、蓋体組付片を蓋体用回動中心軸に対して組み付ける際に蓋体用組付片の変形量を小さくすることが可能となる。これにより、蓋体組付片を蓋体用回動中心軸に対して着脱する際に要する力を小さくすることが可能となる。その結果、蓋体組付片を蓋体用回動中心軸に対して組み付ける作業を簡単に行うことが可能となる。
【００３９】
また、本発明においては、蓋体を外側から覆う外蓋部材が設けられていることが望ましい。これにより、蓋体に形成された投入口を塞ぐことが可能となる。その結果、ゴミ袋に入れるゴミが生ゴミである場合に、かかる生ゴミの臭いが外部に漏れないようにすることが可能となる。
【００４０】
そこにおいて、上述の如く、外蓋部材を設ける場合、外蓋部材は取り外し可能とされていても良い。
【００４１】
また、本発明においては、開口部枠体に対して、外蓋部材の回動中心軸となる外蓋用回動中心軸が設けられている一方、外蓋部材に対して、外蓋部材を外蓋用回動中心軸回りに回動可能な状態で組み付ける外蓋組付片が設けられており、外蓋組付片が周上の一部に切欠が形成された周壁形状とされていると共に、外蓋組付片が切欠を通じて外蓋用回動中心軸に対して外蓋用回動中心軸の軸直角方向で着脱可能に組み付けられることにより、外蓋部材が取り外し可能とされていることが望ましい。これにより、簡単な構造で、外蓋部材を取り外し可能にすることが出来る。
【００４２】
そこにおいて、上述の如き構成を採用する場合、外蓋部材の外蓋用回動中心軸の軸方向での変位を規制する外蓋変位規制突起が設けられていることが望ましい。これにより、外蓋部材を外蓋用回動中心軸の軸方向で位置決めすることが可能となる。
【００４３】
また、上述の如き構成を採用する場合、外蓋部材の外蓋用回動中心軸回りの回動を制限する外蓋回動制限突起が設けられていても良い。
【００４４】
さらに、上述の如き構成を採用する場合、外蓋用回動中心軸の外周面に対して、外蓋用回動中心軸の軸直角方向で対向位置せしめられる一対の平坦面が形成されており、外蓋組付片が切欠を通じて外蓋用回動中心軸に対して一対の平坦面の対向方向に直交する方向で着脱可能に組み付けられるようになっていることが望ましい。これにより、外蓋組付片が切欠を通じて外蓋用回動中心軸に対して軸直角方向で着脱可能に組み付けられることが有利に実現され得ることとなる。即ち、外蓋用回動中心軸において一対の平坦面が形成された部分は、一対の平坦面の対向方向における中心軸線から外周面までの距離が、他の部分に比して、短くなることから、外蓋組付片を外蓋用回動中心軸に対して着脱する際に外蓋用組付片の変形量を小さくすることが可能となる。これにより、外蓋組付片を外蓋用回動中心軸に対して組み付ける際に要する力を小さくすることが可能となる。その結果、外蓋組付片を外蓋用回動中心軸に対して組み付ける作業を簡単に行うことが可能となる。
【００４５】
また、本発明においては、開口窓を外側から覆うカバーが設けられていることが望ましい。これにより、ゴミ袋の中のゴミを見えないようにすることが可能となる。その結果、本発明のゴミ袋支持具を家の中で使用する場合に、ゴミ袋支持具の使用時における外観を見苦しくないようにすることが可能となる。
【００４６】
そこにおいて、上述の如きカバーを設ける場合、開口窓がカバーで覆われた状態とカバーで覆われていない状態の両方をとり得ることが望ましい。これにより、ゴミが少ない状態では、開口窓を外側からカバーで覆うことにより、ゴミ袋の中を見えなくして、ゴミ袋支持具の使用時における外観を見苦しくないようにすることが可能となる。一方、ゴミが多くなってきたら、開口窓をカバーで覆わないようにして、ゴミ袋の開口窓を通じた外方への膨らみを有利に実現することが可能となる。
【００４７】
また、本発明においては、支持部材が、設置面に載置されるベース部材を含んで構成されていることが望ましい。これにより、支持部材を設置面に埋め込む必要がなくなる。その結果、ゴミ袋支持具を移動させることが可能となる。
【００４８】
そこにおいて、ベース部材には、キャスター等の移動手段が設けられていることが望ましい。これにより、ゴミ袋支持具を持ち上げて移動させる必要がなくなる。その結果、ゴミ袋支持具の移動を有利に実現することが可能となる。
【００４９】
また、本発明においては、支持部材によって設置面の上方に支持される支持枠体が設けられていると共に、支持枠体に対して、内側へ延び出す内側延出部が設けられており、かかる内側延出部の延出端によって、開口部枠体が構成されていることが望ましい。これにより、ゴミ袋の開口周縁部を内側延出部の延出端で保持する一方、ゴミ袋の口を縛るのに必要な部分を該延出端から内側延出部の上面に沿って外方に延び出させ、支持枠体等適当な係止部に係止することで、蓋体を挟んだ両側部分において、ゴミ袋の口を縛るのに必要な部分の長さを有利に確保することが可能となる。その結果、ゴミ袋の開口周縁部を結ぶ作業、即ち、ゴミ袋の口を縛る作業を有利に行うことが可能となる。また、内側延出部を設けない場合でも、ゴミ袋の口を縛るのに必要な部分を該開口部枠体から外方に延び出させ、適所に係止させることで、同様に縛る部分の長さを確保することができる。
【００５０】
そこにおいて、上述の如き構成を採用する場合、内側延出部は支持枠体の内側へ行くに従って上方に向かう傾斜面を備えていることが望ましい。これにより、支持枠体の開口方向での投影において、内側延出部の支持枠体内側への突出量を小さくしつつ、内側延出部の突出端（延出端）から基端までの寸法を有利に確保することが可能となる。その結果、ゴミ袋の開口周縁部において、蓋体を跨いだ両側部分、即ち、ゴミ袋の口を縛るのに必要な部分の長さを一層有利に確保することが可能となる。なお、傾斜面は外方に向かって突出する湾曲面によって形成されてもよい。これにより、傾斜面が直線的に傾斜して延びる場合に比して、ゴミの収容量を有利に確保できる。
【発明を実施するための最良の形態】
【００５１】
以下、本発明を更に具体的に明らかにするために、本発明の実施形態について、図面を参照しつつ、詳細に説明する。
【００５２】
図１乃至図５には、本発明の第一実施形態としてのゴミ袋支持具１０が示されている。なお、以下の説明において、上下左右方向とは、原則として、図２中の上下左右方向（図３の紙面に垂直な方向や図４の上下方向）をいうものとし、前後方向とは、原則として、図２中の紙面に垂直な方向（図３及び図４における左右方向）をいうものとする。
【００５３】
より詳細には、本実施形態のゴミ袋支持具１０は、設置面１２に載置されるベース部材としての基台部材１４を備えている。そこにおいて、本実施形態の基台部材１４は、複数本の基台用パイプ１６が複数個の基台用継手１８によって連結されて、全体として環体形状を呈するようになっている。特に本実施形態の場合、基台部材１４は、４本の基台用パイプ１６が４つの基台用継手１８によって連結された構造とされている。これにより、本実施形態の基台部材１４は、全体として矩形枠体形状とされている。
【００５４】
なお、基台用パイプ１６と基台用継手１８は、それぞれ、鉄鋼等の金属材や木材，ＡＢＳ等の硬質の合成樹脂材等の硬質材で形成されている。また、基台用パイプ１６と基台用継手１８の連結は、基台用継手１８に開口形成された取付用穴（図示せず）に基台用パイプ１６の端部を挿入した状態で固定すること等によって、有利に実現される。具体的には、例えば、基台用パイプ１６の外周面にねじ山を形成する一方、基台用継手１８に開口形成された取付穴の内周面にねじ溝を形成し、基台用パイプ１６を基台用継手１８に螺着することや、基台用パイプ１６を基台用継手１８に開口形成された取付穴に圧入固定すること等によって、有利に実現される。勿論、必要に応じて、接着剤を使用するようにしても良い。
【００５５】
また、上述の如き構造とされた基台部材１４を構成する基台用継手１８のうち後側に位置せしめられる二つの基台用継手１８，１８には、それぞれ、上方に向かって突出するようにして、支柱用パイプ２０が設けられている。なお、支柱用パイプ２０は、基台用パイプ１６と同様な硬質材によって形成されている。また、支柱用パイプ２０と基台用継手１８の連結は、基台用パイプ１６と基台用継手１８を連結する場合と同様な方法によって、有利に実現される。
【００５６】
更にまた、これら２本の支柱用パイプ２０，２０の突出端には、開口周縁部支持体２２が設けられている。この開口周縁部支持体２２は、複数本の支持体用パイプ２４が複数個の支持体用継手２６によって連結された構造とされている。特に本実施形態の場合、開口周縁部支持体２２は、３本の支持体用パイプ２４が２個の支持体用継手２６によって連結された構造とされている。これにより、本実施形態の開口周縁部支持体２２は、互いに平行となるように配された２本の支持体用パイプ２４，２４のそれぞれが、残りの１本の支持体用パイプ２４の軸直角方向に延び出している構造とされており、全体としてコ字形状を呈している。
【００５７】
なお、支持体用パイプ２４と支持体用継手２６は、それぞれ、基台用パイプ１６や基台用継手１８と同様な硬質材によって形成されている。また、支持体用パイプ２４と支持体用継手２６の連結は、基台用パイプ１６と基台用継手１８を連結する場合と同様な方法によって、有利に実現される。
【００５８】
このような構造とされた開口周縁部支持体２２は、一つの支持体用継手２６に対して１本の支柱用パイプ２０が連結されることによって、２本の支柱用パイプ２０の突出端に配設されるようになっている。そして、開口周縁部支持体２２は、支柱用パイプ２０の突出端に配設された状態で、互いに平行となるように配された２本の支持体用パイプ２４のそれぞれが、前方に向かって突出するようになっている。なお、支柱用パイプ２０と支持体用継手２６の連結は、基台用パイプ１６と基台用継手１８を連結する場合と同様な方法によって、有利に実現される。
【００５９】
また、本実施形態の開口周縁部支持体２２には、内側に向かって延び出す内側延出壁２８が設けられており、特に本実施形態の場合、内側延出壁２８は斜め上方に向かって延び出すように設けられている。即ち、本実施形態の内側延出壁２８の上面は、開口周縁部支持体２２の内側へ行くに従って上る傾斜面（上り傾斜面）とされているのである。更に、本実施形態では、内側延出壁２８の延出側端部において、鉛直方向上方に向かって突出する縦壁３０が設けられている。
【００６０】
更にまた、本実施形態では、基台部材１４の前方側に位置する基台用パイプ１６に対して、前方回動部材３２が一軸回りに回動可能に設けられている。この前方回動部材３２は、起立状態で上下方向に延びる一対の延出板部３４，３４の基端側（下端側）が基端側連結板部３６によって連結されている一方、一対の延出板部３４，３４の突出端側（上端側）が突出端側連結板部３８によって連結された構造とされており、全体として矩形枠体形状乃至は額縁形状を呈している。なお、前方回動部材３２は、鉄鋼等の金属材や木材，ＡＢＳ等の硬質の合成樹脂材等の硬質材で形成されている。
【００６１】
このような構造とされた前方回動部材３２は、基端側連結板部３６が、基台部材１４の前方側に位置する基台用パイプ１６に対して、蝶番３９，３９によって連結されている。これにより、前方回動部材３２は、基台部材１４の前方側に位置する基台用パイプ１６の中心軸線回りに回動可能な状態で配されている。
【００６２】
また、本実施形態では、前方回動部材３２における突出端側連結板部３８に対して、突起４０が設けられており、前方回動部材３２が起立せしめられた状態で、図６に示されているように、かかる突起４０が支持体用パイプ２４に挿通位置せしめられるようになっている。
【００６３】
更にまた、本実施形態では、前方回動部材３２における突出端側連結板部３８に対して、前方回動部材３２が起立せしめられた状態で、後方に延び出す後方延出壁４２が設けられており、特に本実施形態の場合、後方延出壁４２は斜め上方に向かって延び出すように設けられている。即ち、本実施形態の後方延出壁４２の上面は、後方へ行くに従って上る傾斜面（上り傾斜面）とされているのである。また、本実施形態では、後方延出壁４２の延出側端部において、前方回動部材３２が起立せしめられた状態で、鉛直方向上方に向かって突出する縦壁４４が設けられている。
【００６４】
そして、本実施形態では、前方回動部材３２が起立せしめられた状態で、前方回動部材３２における突出端側連結板部３８と開口周縁部支持体２２が協働することによって、周方向に連続した環体形状を呈する支持枠体４６が形成されるようになっている。即ち、本実施形態の支持枠体４６は、周方向で分割可能な構造とされており、前方回動部材３２における突出端側連結板部３８によって、分離可能な部分が構成されている一方、開口周縁部支持体２２によって、その他の部分が構成されている。
【００６５】
また、上述の如く、前方回動部材３２が起立せしめられて、支持枠体４６が形成されることに伴い、前方回動部材３２における一対の延出板部３４，３４及び基端側連結板部３６と、基台部材１４と、２本の支柱用パイプ２０とが協働することにより、支持枠体４６を設置面１２よりも上方に支持する支持部材４８が形成されるようになっている。
【００６６】
そこにおいて、本実施形態の支持部材４８にあっては、基台部材１４と支持枠体４６の間に位置せしめられる部分によって、後述するゴミ袋９０の周りに位置せしめられる周壁部分５０が構成されており、特に、本実施形態の支持部材４８における周壁部分５０は、全体として、前後方向で対向位置せしめられる一対の前後方向対向壁部５２，５４と、左右方向で対向位置せしめられる一対の左右方向対向壁部５６，５８とを備えた構造とされている。
【００６７】
また、本実施形態の支持部材４８における周壁部分５０には、一対の前後方向対向壁部５２，５４と一対の左右方向対向壁部５６，５８のそれぞれに開口窓６０，６２，６４，６６が形成されている。これにより、周壁部分５０における一対の前後方向対向壁部５２，５４のうち、前方に位置する前方壁部５２は、左側の延出板部３４によって構成された縁部分と、右側の延出板部３４によって構成された縁部分と、基端側連結板部３６によって構成された縁部分を残すだけになっている一方、後方に位置する後方壁部５４は、左側の支柱用パイプ２０を含んで構成された縁部分と、右側の支柱用パイプ２０を含んで構成された縁部分を残すだけになっている。また、周壁部分５０における一対の左右方向対向壁部５６，５８のうち、左側に位置する左側壁部５６は、左側の支柱用パイプ２０を含んで構成された縁部分と、左側の延出板部３４を含んで構成された縁部分を残すだけとなっている一方、右側に位置する右側壁部５８は、右側の支柱用パイプ２０を含んで構成された縁部分と、右側の延出板部３４を含んで構成された縁部分を残すだけとなっている。
【００６８】
更にまた、本実施形態の支持部材４８における周壁部分５０は、上述の如く前方回動部材３２が一軸回りに回動可能とされていることにより、支持枠体４６と同じ周方向位置において、周方向で分割可能な構造とされている。そして、本実施形態では、支持部材４８の周壁部分５０のうち、前方壁部５２によって、可動壁部が構成されている一方、一対の左右方向対向壁部５６，５８（左側壁部５６と右側壁部５８）のそれぞれによって、隣接壁部が構成されている。
【００６９】
また、本実施形態では、上述の如く、前方回動部材３２が起立せしめられて、支持枠体４６が形成されることに伴い、開口周縁部支持体２２に設けられた内側延出壁２８と前方回動部材３２における突出端側連結板部３８に設けられた後方延出壁４２が協働することにより、支持枠体４６の内側に延び出す内側延出部６８が、支持枠体４６の全周に亘って形成されている。即ち、本実施形態の内側延出部６８は、周方向で分割可能とされていると共に、支持枠体４６の内側へ行くに従って上る傾斜面（上り傾斜面）を備えているのである。
【００７０】
また、本実施形態では、内側延出壁２８の突出端に設けられた縦壁３０と後方延出壁４２の突出端に設けられた縦壁４４が協働することにより、内側延出部６８の内周縁部において、矩形断面で鉛直上方に開口する開口部枠体としての投入用開口枠７０が形成されている。特に本実施形態では、投入用開口枠７０は、周方向で分割可能とされている。
【００７１】
更にまた、本実施形態では、前方回動部材３２が前方に倒されることにより、支持枠体４６を構成する突出端側連結板部３８が、支持枠体４６における他の部分、即ち、開口周縁部支持体２２から分離されるようになっている。これにより、支持枠体４６の前方側が開放される。また、支持枠体４６の前方側が開放されることに伴って、内側延出部６８と投入用開口枠７０も前方側が開放される。即ち、本実施形態では、支持枠体４６と内側延出部６８と投入用開口枠７０が前方側へ開放されることによって、開口部枠体（投入用開口枠７０）を前方側へ開放する開放部７２が形成されるようになっており、特に本実施形態では、突出端側連結板部３８と後方延出壁４２と縦壁４４が位置せしめられていた場所に開放部７２が形成されるようになっている。
【００７２】
また、本実施形態では、前方回動部材３２が前方に倒されることにより、支持部材４８の周壁部分５０における前方壁部５２が、支持部材４８の周壁部分５０における他の部分（後方壁部５４や左側壁部５６，右側壁部５８）から分離されるようになっている。これにより、開口部枠体（投入用開口枠７０）と同じ周方向位置で、支持部材４８における周壁部分５０の前方側が開放されることとなる。即ち、本実施形態では、開口部枠体（投入用開口枠７０）に形成される開放部７２と同じ周方向位置において、支持部材４８の周壁部分５０を前方へ開放する開放部７４が形成されるようになっている。
【００７３】
特に本実施形態では、前方回動部材３２が前方に倒されることにより、支持部材４８の周壁部分５０における前方壁部５２に対して支持部材４８の周壁部分５０の周方向で隣に位置する一対の左右方向対向壁部５６，５８（左側壁部５６と右側壁部５８）のそれぞれに形成された開口窓６４，６６が、前方壁部５２側へ開放されるようになっている。その結果、支持部材４８における周壁部分５０の前方側において、開放部７４が形成されるようになっている。即ち、本実施形態では、開口窓６４における前方壁部５２側の縦桟（左側の延出板部３４）が位置せしめられていた場所と、開口窓６６における前方壁部５２側の縦桟（右側の延出板部３４）が位置せしめられていた場所において、開放部７４が形成されるようになっている。
【００７４】
また、本実施形態では、後方延出壁４２の延出側端部に突設された縦壁４４に対して、蓋体７６が一軸回りに回動可能に設けられている。この蓋体７６は、全体として矩形平板形状を呈しており、その中央部分には、投入口７８が開口形成されている。なお、蓋体７６は、鉄鋼等の金属材や木材，ＡＢＳ等の硬質の合成樹脂材等の硬質材で形成されている。
【００７５】
このような構造とされた蓋体７６は、長手方向一方の端部（前方側の端部）が、後方延出壁４２の延出側端部に突設された縦壁４４に対して、蝶番８０，８０によって連結されている。これにより、蓋体７６は、後方延出壁４２の延出側端部に突設された縦壁４４の長手方向（左右方向）に延びる一本の直線回りに回動可能な状態で配されている。
【００７６】
そこにおいて、本実施形態の蓋体７６は、前方回動部材３２の前方側への回動だけではなく、前方回動部材３２の後方側への回動も許容されている。これにより、後述の如く蓋体７６を引き抜くことが有利に実現されるようになっている。
【００７７】
また、本実施形態では、蓋体７６の長手方向他方の端部（後方側の端部）において、鉄鋼等の金属材で形成された係止具８２が設けられている。特に本実施形態では、係止具８２の長手方向一端側が、溶接や接着等によって、蓋体７６に固定されている一方、係止具８２の長手方向他端側が蓋体７６の外側に位置せしめられている。これにより、前方回動部材３２が起立せしめられて、蓋体７６が投入用開口枠７０内に位置せしめられた状態で、蓋体７６に設けられた係止具８２の長手方向他端側が、内側延出壁２８の延出側端部に突設された縦壁３０の突出端面に載置され得るようになっている。その結果、蓋体７６が、投入用開口枠７０内に位置せしめられた状態で、基台部材１４の鉛直上方に位置せしめられ得るようになっている。
【００７８】
また、内側延出壁２８には、操作レバーと緊締部材を兼ねた止め具８４が一軸回りに回動可能に設けられており、かかる止め具８４には、枠体形状を呈する係合部材８６が、その一端側において、一軸回りに回動可能な状態で設けられている。
【００７９】
そして、係止具８２の長手方向他端側が内側延出壁２８の延出側端部に突設された縦壁３０の突出端面に載置された状態で、係合部材８６の他端部を係止具８２の長手方向他端側に形成された折曲部８８に係止させて、止め具８４を回動操作することにより、蓋体７６を投入用開口枠７０内に位置せしめた状態で固定することが出来るようになっている。
【００８０】
続いて、このような構造とされた本実施形態のゴミ袋支持具１０の使用方法について説明する。先ず、図７に示されているように、支持部材４８における周壁部分５０の内側に配されたゴミ袋９０の開口周縁部９２を、投入用開口枠７０の内側から外側へ引っ張り出して、支持枠体４６を構成する支持体用パイプ２４に係止すると共に、蓋体７６を投入用開口枠７０内で固定する。
【００８１】
そこにおいて、本実施形態では、支持体用パイプ２４に組み付けられる組付部材９４と支持体用パイプ２４の間にゴミ袋９０の開口周縁部９２を挟むことにより、ゴミ袋９０の開口周縁部９２を支持体用パイプ２４に係止するようになっている。
【００８２】
より詳細には、組付部材９４は、図８にも示されているように、円弧状に湾曲せしめられた湾曲板形状とされており、その内周面が支持体用パイプ２４の外周面に重ね合わせられるようにして、支持体用パイプ２４に組み付けられるようになっている。なお、支持体用パイプ２４への組み付けを容易にするために、組付部材９４に対して、把持部等を設けるようにしても良い。
【００８３】
そして、組付部材９４を支持体用パイプ２４に組み付けて、組付部材９４の内周面と支持体用パイプ２４の外周面との間に、ゴミ袋９０の開口周縁部９２を挟むことにより、ゴミ袋９０の開口周縁部９２を支持体用パイプ２４に係止するようになっている。その結果、ゴミ袋９０の開口周縁部９２が開口状態で保持されて、ゴミ袋９０が略鉛直方向上方に向かって開口するようになっている。
【００８４】
また、蓋体７６が投入用開口枠７０内で固定されることにより、蓋体７６がゴミ袋９０の開口を塞ぐようにして配設されるようになっている。そこにおいて、本実施形態では、蓋体７６がゴミ袋９０の開口を塞ぐように配設された状態で、支持体用パイプ２４に係止されたゴミ袋９０の開口周縁部９２は、それぞれ、蓋体７６の外側（左右方向外方）へ延び出すようになっている。
【００８５】
そして、上述の如く蓋体７６がゴミ袋９０の開口を塞ぐようにして配設された状態で、蓋体７６に形成された投入口７８からゴミがゴミ袋９０内に入れられるようになっている。なお、投入口７８から入れることが難しいゴミは、蓋体７６の固定状態を解除して、蓋体７６をゴミ袋９０の開口を塞がない位置まで移動させた状態で、ゴミ袋９０内に入れるようにしても良い。
【００８６】
また、沢山のゴミが入れられて、開口窓６０，６２，６４，６６を通じて外方に膨らんだゴミ袋９０は、以下のようにして、ゴミ袋支持具１０から取り出されるようになっている。先ず、組付部材９４を支持体用パイプ２４から取り外して、ゴミ袋９０の開口周縁部９２を支持体用パイプ２４に係止されていない状態にする。次に、図９に示されているように、ゴミ袋９０の開口周縁部９２において支持体用パイプ２４に係止されていた部分、即ち、ゴミ袋９０の開口周縁部９２において蓋体７６を跨いで蓋体７６の左右両側に位置せしめられる部分（蓋体７６の左右方向外方に位置せしめられる部分）を蓋体７６の上方で相互に結ぶ。
【００８７】
続いて、蓋体７６の固定状態を解除して、前方回動部材３２を前方へ倒しつつ、蓋体７６を前方へ引き抜く。これにより、図１０に示されているように、開口窓６０，６２，６４，６６を通じて外方に膨らんだゴミ袋９０を前方へ引き抜いて取り出すための開放部７２，７４が、ゴミ袋支持具１０の前方側に形成される。その結果、沢山のゴミが入れられたゴミ袋９０を、開口周縁部９２が結ばれた状態で、開放部７２，７４から前方へ引き抜いて取り出すことが可能となる。
【００８８】
上述の如き構造とされたゴミ袋支持具１０においては、ゴミ袋９０の膨らみが開口窓６０，６２，６４，６６によって許容されていることから、ゴミ袋９０に多くのゴミを入れることが可能となる。また、ゴミ袋９０の開口が蓋体７６で塞がれていることから、ゴミ袋９０内にゴミを押し込むことが可能となる。
【００８９】
従って、上述の如き構造とされたゴミ袋支持具１０においては、ゴミ袋９０に多くのゴミを入れることが可能となる。
【００９０】
また、上述の如き構造とされたゴミ袋支持具１０にあっては、ゴミ袋９０の開口周縁部９２において蓋体７６を跨いだ両側部分を、蓋体７６の上方で相互に結ぶことが出来るようになっていることから、蓋体７６によってゴミが押え込まれた状態で、ゴミ袋９０の開口周縁部９２を結ぶことが可能となる。そして、蓋体７６によってゴミが押え込まれた状態で開口周縁部９２が結ばれたゴミ袋９０は、前方回動部材３２を前方へ倒す際に、蓋体７６を引き抜くことにより、ゴミ袋支持具１０の前方へ引き抜いて取り出すことが出来るようになっている。
【００９１】
従って、上述の如き構造とされたゴミ袋支持具１０においては、ゴミ袋９０の開口周縁部９２を結ぶ作業を効率良く行うことが可能となる。
【００９２】
そこにおいて、本実施形態のゴミ袋支持具１０にあっては、支持枠体４６が開口周縁部支持体２２と前方回動部材３２における突出端側連結板部３８によって構成されていることから、ゴミ袋支持具１０の使用時における支持枠体４６、延いては、投入用開口枠７０の強度を有利に確保することが可能となる。
【００９３】
特に本実施形態では、開口周縁部支持体２２を構成する支持体用パイプ２４に対して、前方回動部材３２における突出端側連結板部３８に設けられた突起４０が挿通位置せしめられた状態で、支持枠体４６が形成されるようになっていることから、ゴミ袋支持具１０の使用時における支持枠体４６、延いては、投入用開口枠７０の強度を一層有利に確保することが可能となる。
【００９４】
また、本実施形態では、前方回動部材３２が前方に倒されることにより、一対の左右方向対向壁部５６，５８（左側壁部５６と右側壁部５８）のそれぞれに形成された開口窓６４，６６が前方壁部５２側へ開放されるようになっていることから、ゴミ袋支持具１０の使用時における支持部材４８の強度を有利に確保することが可能となる。
【００９５】
さらに、本実施形態では、支持部材４８が、設置面１２に載置される基台部材１４を含んで構成されていることから、ゴミ袋支持具１０を移動させることが容易に可能となる。
【００９６】
更にまた、本実施形態では、支持枠体４６の内側に延び出す内側延出部６８が支持枠体４６の全周に亘って設けられていることから、ゴミ袋９０の開口周縁部９２においてゴミ袋９０の口を縛るために必要な部分を有利に確保することが可能となる。
【００９７】
特に本実施形態では、内側延出部６８が支持枠体４６の内側へ行くに従って上る傾斜面を有していることから、ゴミ袋９０の開口周縁部９２においてゴミ袋９０の口を縛るために必要な部分を有利に確保することが可能となる。
【００９８】
次に、本発明の第二実施形態としてのゴミ袋支持具９８について、図１１に基づいて、説明する。なお、以下に記載の第二実施形態や後述する第三乃至第九実施形態において、第一実施形態と同様な構造とされた部材及び部位については、図中に、第一実施形態と同一の符号を付すことにより、それらの詳細な説明を省略する。
【００９９】
本実施形態のゴミ袋支持具９８は、第一実施形態のゴミ袋支持具（１０）に比して、蓋体７６が、後方延出壁４２の突出端に設けられた縦壁４４に対して、一軸回りに回動可能な状態で配されているのではなく、内側延出壁２８の突出端に設けられた縦壁３０に対して、一軸回りに回動可能な状態で配されている。また、これに伴って、係止具８２が前方側に突出するようにして蓋体７６に固定されており、蓋体７６が前方側で固定されるようになっている。なお、図面上では明示されていないが、蓋体７６は蝶番によって縦壁３０に連結されており、それによって、一軸回りに回動可能な状態で配されているのである。
【０１００】
このような構造とされたゴミ袋支持具９８においても、ゴミ袋９０の膨らみが開口窓６０，６２，６４，６６によって許容されていると共に、ゴミ袋９０の開口を塞ぐように配される蓋体７６の上方でゴミ袋９０の開口周縁部９２において蓋体７６を跨いだ両側に位置する部分を相互に結ぶことが出来るようになっており、更に、前方回動部材３２を前方に倒すことにより、開口周縁部９２が結ばれたゴミ袋９０を前方へ引き抜いて取り出すことが出来るようになっていることから、第一の実施形態と同様な効果を得ることが可能となる。
【０１０１】
続いて、本発明の第三実施形態のゴミ袋支持具１００について、図１２に基づいて説明する。本実施形態のゴミ袋支持具１００は、第一実施形態のゴミ袋支持具（１０）に比して、前方回動部材３２における一対の延出板部３４と基端側連結板部３６が設けられていない構造とされている。これにより、本実施形態の支持部材４８における周壁部分５０は、２本の支柱用パイプ２０によって構成されて、前方と後方が常時開放された構造とされている。即ち、本実施形態では、支持部材４８の周壁部分５０において、前方側から左右両側に亘って開口する開口窓１０２が形成されていると共に、後方に開口する開口窓６２が形成されているのであり、開口窓１０２が形成されていることにより、支持部材４８の周壁部分５０に対して開放部が常時形成されているのである。このことから明らかなように、本実施形態では、支持部材４８の周壁部分５０において前方側に開口形成された開口窓１０２によって、開放部が構成されている。なお、本実施形態では、蓋体７６の固定状態が解除された状態で、突出端側連結板部３８を前方へ引き抜くことにより、蓋体７６を前方へ引き抜くことが可能とされている。
【０１０２】
従って、このような構造とされたゴミ袋支持具１００においても、ゴミ袋９０の膨らみが開口窓１０２，６２によって許容されていると共に、ゴミ袋９０の開口を塞ぐように配される蓋体７６の上方でゴミ袋９０の開口周縁部９２において蓋体７６を跨いだ両側に位置する部分を相互に結ぶことが出来るようになっており、更に、開口周縁部９２が結ばれたゴミ袋９０を前方へ引き抜いて取り出すことが出来るようになっていることから、第一の実施形態と同様な効果を得ることが可能となる。
【０１０３】
次に、本発明の第四実施形態のゴミ袋支持具１０４について、図１３に基づいて説明する。本実施形態のゴミ袋支持具１０４は、第一実施形態のゴミ袋支持具（１０）に比して、前方回動部材３２における一対の延出板部３４と基端側連結板部３６が設けられておらず、また、基台部材１４も設けられていない。そして、２本の支柱用パイプ２０の各基端部が、設置面１２に対して、埋め込まれている。
【０１０４】
すなわち、本実施形態では、２本の支柱用パイプ２０によって、支持部材４８とかかる支持部材４８の周壁部分５０が構成されている。これにより、本実施形態の支持部材４８における周壁部分５０は、前方と後方が常時開放された構造とされている。換言すれば、本実施形態では、支持部材４８の周壁部分５０において、前方側から左右両側に亘って開口する開口窓１０６が形成されていると共に、後方に開口する開口窓６２が形成されているのであり、開口窓１０６が形成されていることにより、支持部材４８の周壁部分５０に対して開放部が常時形成されているのである。このことから明らかなように、本実施形態では、支持部材４８の周壁部分５０において前方側に開口形成された開口窓１０６によって、開放部が構成されている。なお、本実施形態では、蓋体７６の固定状態が解除された状態で、突出端側連結板部３８を前方へ引き抜くことにより、蓋体７６を前方へ引き抜くことが可能とされている。
【０１０５】
従って、このような構造とされたゴミ袋支持具１０４においても、ゴミ袋９０の膨らみが開口窓１０６，６２によって許容されていると共に、ゴミ袋９０の開口を塞ぐように配される蓋体７６の上方でゴミ袋９０の開口周縁部９２において蓋体７６を跨いだ両側に位置する部分を相互に結ぶことが出来るようになっており、更に、開口周縁部９２が結ばれたゴミ袋９０を前方へ引き抜いて取り出すことが出来るようになっていることから、第一の実施形態と同様な効果を得ることが可能となる。
【０１０６】
続いて、本発明の第五実施形態としてのゴミ袋支持具１０８について、図１４に基づいて説明する。本実施形態のゴミ袋支持具１０８は、第一実施形態のゴミ袋支持具（１０）に比して、前方回動部材３２における一対の延出板部３４，３４及び基端側連結板部３６と、基台部材１４と、２本の支柱用パイプ２０とが設けられていない。
【０１０７】
そこにおいて、本実施形態のゴミ袋支持具１０８は、開口周縁部支持体２２を構成する支持体用継手２６の後側に対して、支持部材４８としての永久磁石１１０が設けられている。そして、かかる永久磁石１１０が冷蔵庫の側面１１２に引っ付くことにより、支持枠体４６が設置面１２の上方で支持されるようになっている。
【０１０８】
すなわち、本実施形態では、支持枠体４６の真下の領域（支持枠体４６と設置面１２との間の領域）の全体に亘って開口窓１１４が形成されているのである。換言すれば、本実施形態の場合、支持部材４８の周壁部分５０は、その全体に亘って開口窓１１４が形成されたことにより、なくなってしまったのである。そして、このことから明らかなように、本実施形態では、支持枠体４６の真下の領域の全体に亘って形成された開口窓１１４によって、開放部が構成されている。なお、本実施形態では、蓋体７６の固定状態が解除された状態で、突出端側連結板部３８を前方へ引き抜くことにより、蓋体７６を前方へ引き抜くことが可能とされている。
【０１０９】
従って、このような構造とされたゴミ袋支持具１０８においても、ゴミ袋９０の膨らみが開口窓１１４によって許容されていると共に、ゴミ袋９０の開口を塞ぐように配される蓋体７６の上方でゴミ袋９０の開口周縁部９２において蓋体７６を跨いだ両側に位置する部分を相互に結ぶことが出来るようになっており、更に、開口周縁部９２が結ばれたゴミ袋９０を前方へ引き抜いて取り出すことが出来るようになっていることから、第一の実施形態と同様な効果を得ることが可能となる。
【０１１０】
続いて、本発明の第六実施形態としてのゴミ袋支持具１１６について、図１５に基づいて説明する。本実施形態のゴミ袋支持具１１６は、第一実施形態のゴミ袋支持具（１０）に比して、蓋体７６が後方延出壁４２の突出端に設けられた縦壁に対して一軸回りに回動可能に設けられていない。そして、本実施形態では、蓋体７６の前方側端部においても、係止具８２が設けられており、かかる係止具８２に対して前方側に設けられた止め具８４が引っ掛けられることにより、蓋体７６が投入用開口枠７０内において前方側と後方側でそれぞれ固定されるようになっている。なお、本実施形態では、ゴミ袋９０の開口周縁部９２が結ばれた状態で、蓋体７６の固定状態を解除して、前方回動部材３２を前方に倒すことにより、蓋体７６を前方側へ移動させることが可能とされている。
【０１１１】
また、本実施形態では、蓋体７６を取り外して、図１６に示されているように、投入口７８が形成されていない密閉用蓋体１１８に取り換えることも可能とされている。
【０１１２】
さらに、本実施形態では、基台部材１４に受皿１２０が載置されていると共に、かかる受皿１２０内に網状支持部材１２２が配置されている。そこにおいて、本実施形態の網状支持部材１２２は、ゴミ袋９０が載置される載置部分１２４の外周縁部の適当な位置に脚部１２６が設けられており、かかる脚部１２６が受皿１２０の底面に載せられた状態で、載置部分１２４が受皿１２０の底面の上方に位置せしめられるようになっている。
【０１１３】
更にまた、本実施形態では、基台部材１４を構成する各基台用継手１８に対して、移動手段としてのキャスター１２８が取り付けられている。
【０１１４】
従って、このような構造とされたゴミ袋支持具１１６においても、ゴミ袋９０の膨らみが開口窓６０，６２，６４，６６によって許容されていると共に、ゴミ袋９０の開口を塞ぐように配される蓋体７６の上方でゴミ袋９０の開口周縁部９２において蓋体７６を跨いだ両側に位置する部分を相互に結ぶことが出来るようになっており、更に、前方回動部材３２を前方に倒すことにより、開口周縁部９２が結ばれたゴミ袋９０を前方へ引き抜いて取り出すことが出来るようになっていることから、第一の実施形態と同様な効果を得ることが可能となる。
【０１１５】
また、本実施形態では、蓋体７６を取り外して、密閉用蓋体７６に取り換えることが出来るようになっていることから、ゴミ袋９０に入れられるゴミが生ゴミであった場合に、かかる生ゴミの臭いが外部に漏れることを有利に回避することが可能となる。
【０１１６】
さらに、本実施形態では、基台部材１４に受皿１２０が載置されていることから、ゴミ袋９０に入れられるゴミが生ゴミであった場合に、かかる生ゴミに含まれる水がゴミ袋９０から漏れたとしても、受皿１２０によって受けることが可能となる。その結果、設置面１２を生ゴミに含まれる水で濡らしてしまうことを有利に回避することが可能となる。
【０１１７】
更にまた、本実施形態では、基台部材１４に載置された受皿１２０内に網状支持部材１２２が配置されていることから、ゴミ袋９０が受皿１２０の底面に接触することを有利に回避することが可能となる。その結果、ゴミ袋９０から生ゴミに含まれる水が漏れた場合に、かかる生ゴミに含まれる水によってゴミ袋９０の底が濡れてしまうことを有利に回避することが可能となる。
【０１１８】
また、本実施形態では、基台部材１４にキャスター１２８が設けられていることから、ゴミ袋支持具１０の移動を容易に行うことが可能となる。
【０１１９】
続いて、本発明の第七実施形態としてのゴミ袋支持具１３０について、図１７に基づいて説明する。本実施形態のゴミ袋支持具１３０は、第一実施形態のゴミ袋支持具（１０）に比して、各開口窓６０，６２，６４，６６を覆うカバー１３２が設けられている。そこにおいて、本実施形態のカバー１３２は、ＡＢＳ等の硬質の合成樹脂材によって形成されており、支持部材４８の周壁部分５０を全周に亘って覆うことが可能な矩形枠体形状とされている。なお、本実施形態のカバー１３２は、基台部材１４において前方側に位置せしめられる二つの基台用継手１８，１８の上面と、基台部材１４において後方側に位置せしめられる二つの基台用継手１８，１８の側面に突設された支持板１３４の上面に載置された状態で、支持部材４８の周壁部分５０を全周に亘って覆うように配設される。そして、本実施形態では、ゴミ袋９０が膨らむまでは、カバー１３２によって開口窓６０，６２，６４，６６を覆う一方、ゴミ袋９０が膨らんできたら、カバー１３２を取り外して、ゴミ袋９０が開口窓６０，６２，６４，６６から外部へ膨らむことを許容するようになっている。
【０１２０】
従って、このような構造とされたゴミ袋支持具１３０においても、ゴミ袋９０の膨らみが開口窓６０，６２，６４，６６によって許容されていると共に、ゴミ袋９０の開口を塞ぐように配される蓋体７６の上方でゴミ袋９０の開口周縁部９２において蓋体７６を跨いだ両側に位置する部分を相互に結ぶことが出来るようになっており、更に、前方回動部材３２を前方に倒すことにより、開口周縁部９２が結ばれたゴミ袋９０を前方へ引き抜いて取り出すことが出来るようになっていることから、第一の実施形態と同様な効果を得ることが可能となる。
【０１２１】
また、本実施形態では、開口窓６０，６２，６４，６６を外側から覆うカバー１３２が設けられていることから、ゴミ袋９０の中を見えないようにすることが可能となる。その結果、ゴミ袋支持具１０の使用時における外観の見苦しさを有利に回避することが可能となる。
【０１２２】
更にまた、本実施形態では、カバー１３２が取り外し可能とされていることから、ゴミ袋９０が膨らんでいない場合は、開口窓６０，６２，６４，６６をカバー１３２で覆うことにより、ゴミ袋９０の中を見えないようにする一方、ゴミ袋９０が膨らんできた場合には、カバー１３２を取り外して、開口窓６０，６２，６４，６６から外部へゴミ袋９０が膨らむことを許容することが可能となる。
【０１２３】
次に、本発明の第八実施形態としてのゴミ袋支持具１３６について説明する。本実施形態のゴミ袋支持具１３６は、図１８乃至２３に示されているように、第一実施形態のゴミ袋支持具（１０）に比して、内側延出部（６８）が設けられていない。従って、本実施形態では、支持枠体４６によって開口部枠体が構成されることとなる。また、本実施形態では、前方に向かって突出する支持体用パイプ２４，２４のそれぞれに対して係止部材１３８が一体的に設けられている。なお、図面上では明示されていないが、係止部材１３８は、長手方向中間部分が筒状外周面を有する形状とされている一方、かかる筒状外周面を有する部分の両端に設けられた脚が支持体用パイプ２４に対して一体的に設けられている。そして、本実施形態では、かかる係止部材１３８（筒状外周面を有する部分）に対して組付部材９４が組み付けられることにより、係止部材１３８の外周面と組付部材９４の内周面との間にゴミ袋９０の開口周縁部９２が挟まれた状態で係止されるようになっている。
【０１２４】
また、本実施形態では、蓋体７６が、前方回動部材３２における突出端側連結板部３８の長手方向中間部分に設けられた蓋体用回動中心軸１４０に対して一軸回りに回動可能な状態で組み付けられている。
【０１２５】
より詳細には、本実施形態の蓋体７６には、周上の一部に切欠１４２が形成された周壁形状を呈する蓋体組付片１４４が設けられている。そして、蓋体７６が蓋体組付片１４４に形成された切欠１４２を通じて蓋体用回動中心軸１４０に対して蓋体用回動中心軸１４０の軸直角方向に組み付けられるようになっている。
【０１２６】
そこにおいて、本実施形態では、蓋体用回動中心軸１４０の外周面において、蓋体用回動中心軸１４０に対する軸直角方向において対向位置せしめられた一対の平坦面１４６，１４６が形成されている。これにより、蓋体用回動中心軸１４０における一対の平坦面１４６，１４６の対向方向での寸法が、蓋体用回動中心軸１４０における他の軸直角方向での寸法よりも小さくされている。その結果、本実施形態では、図２４に示されているように、蓋体組付片１４４に形成された切欠１４２の開口方向が一対の平坦面１４６，１４６の対向方向に直交する方向となる回動位置において、蓋体組付片１４４の蓋体用回動中心軸１４０に対する着脱が容易に可能とされている。
【０１２７】
また、本実施形態では、蓋体７６に設けられたストッパ片１４８が蓋体用回動中心軸１４０に設けられたストッパ片１５０に当接せしめられることにより、蓋体７６の回動量が制限されるようになっている。なお、このことから明らかなように、本実施形態では、ストッパ片１４８とストッパ片１５０によって、蓋体回動規制突起が構成されている。
【０１２８】
更にまた、本実施形態では、蓋体７６に設けられた蓋体組付片１４４，１４４のそれぞれが、突出端側連結板部３８の端部１４１，１４１に対して、内側から当接せしめられるようになっており、それによって、蓋体７６の蓋体用回動中心軸１４０の軸方向での変位が制限されるようになっている。なお、このことから明らかなように、本実施形態では、突出端側連結板部３８の端部１４１，１４１によって、蓋体変位規制突起が構成されている。
【０１２９】
また、本実施形態では、蓋体７６が、支持体用パイプ２４に設けられた載置片に対して回動軸側とは反対側の端部が載置された状態で、蓋体７６と支持体用パイプ２４に設けられた一対の固定用テープ１５１，１５１によって、その位置に固定されるようになっている。そこにおいて、一対の固定用テープ１５１，１５１は、その一方がフック状のテープとされており、他方がパイル状のテープとされており、フック状のテープとパイル状のテープが噛み合わされることによって、固定されるようになっている。
【０１３０】
また、本実施形態では、蓋体７６を外側から覆う外蓋部材１５２が配設されている。そこにおいて、本実施形態の外蓋部材１５２には、前方回動部材３２における突出端側連結板部３８の端面に突設された外蓋用回動中心軸１５４に組み付けられる外蓋組付片１５６が設けられている。この外蓋組付片１５６は、周上の一部に切欠１５８が形成された周壁形状を呈している。そして、かかる外蓋組付片１５６が切欠１５８を通じて外蓋用回動中心軸１５４に対して外蓋用回動中心軸１５４の軸直角方向に組み付けられることにより、外蓋部材１５２が外蓋用回動中心軸１５４回りに回動可能とされているのである。
【０１３１】
更にまた、本実施形態では、外蓋用回動中心軸１５４の外周面において、外蓋用回動中心軸１５４に対する軸直角方向において対向位置せしめられた一対の平坦面１６０，１６０が形成されている。これにより、外蓋用回動中心軸１５４における一対の平坦面１６０，１６０の対向方向での寸法が、外蓋用回動中心軸１５４における他の軸直角方向での寸法よりも小さくされている。その結果、本実施形態では、図２５に示されているように、外蓋組付片１５６に形成された切欠１５８の開口方向が一対の平坦面１６０，１６０の対向方向に直交する方向となる回動位置において、外蓋組付片１５６の外蓋用回動中心軸１５４に対する着脱が容易に可能とされている。
【０１３２】
また、本実施形態では、外蓋部材１５２における回動軸側の端面が突出端側連結板部３８の端部１４１に設けられたストッパ片１６４に当接せしめられることにより、外蓋部材１５２の回動量が制限されるようになっている。なお、このことから明らかなように、本実施形態では、ストッパ片１６４によって、外蓋回動規制突起が構成されている。
【０１３３】
更にまた、本実施形態では、外蓋部材１５２に設けられた外蓋組付片１５６，１５６のそれぞれが、突出端側連結板部３８の端部１４１，１４１に対して、外側から当接せしめられるようになっており、それによって、外蓋部材１５２の外蓋用回動中心軸１５４の軸方向での変位が制限されるようになっている。なお、このことから明らかなように、本実施形態では、突出端側連結板部３８の端部１４１，１４１によって、蓋体変位規制突起が構成されている。
【０１３４】
このような構造とされたゴミ袋支持具１３６においても、ゴミ袋９０の膨らみが開口窓６０，６２，６４，６６によって許容されていると共に、ゴミ袋９０の開口を塞ぐように配される蓋体７６の上方でゴミ袋９０の開口周縁部９２において蓋体７６を跨いだ両側に位置する部分を相互に結ぶことが出来るようになっており、更に、前方回動部材３２を前方に倒すことにより、開口周縁部９２が結ばれたゴミ袋９０を前方へ引き抜いて取り出すことが出来るようになっていることから、第一の実施形態と同様な効果を得ることが可能となる。
【０１３５】
次に、本発明の第九実施形態としてのゴミ袋支持具について、図２６に基づいて、説明する。本実施形態のゴミ袋支持具１６６は、第一実施形態のゴミ袋支持具（１０）に比して、開口窓６０，６２，６４，６６がカバー１６８によって外側から覆い隠された構造とされている。そこにおいて、本実施形態のカバー１６８は、布等によって形成されていると共に、横方向に並ぶようにして、複数の襞１７０が形成されている。なお、カバー１６８の配置は、カバー１６８の周囲に設けられた枠体１６９を開口窓６０，６２，６４，６６に嵌め込むこと等によって、有利に実現され得ることとなる。
【０１３６】
以上、本発明の幾つかの実施形態について詳述してきたが、これらはあくまでも例示であって、本発明は、かかる実施形態における具体的な記載によって、何等、限定的に解釈されるものではない。
【０１３７】
例えば、前記第一乃至第七実施形態では、支持部材４８の周壁部分５０が全体として矩形枠体形状とされていたが、開口断面が多角形とされた枠体形状や開口断面が円形状とされた枠体形状を有する周壁部分であっても良い。
【０１３８】
また、前記第一乃至第七実施形態では、手提げ部分や口を縛る部分がないゴミ袋を使用していたが、手提げ部分や口を縛る部分があるゴミ袋を使用しても良い。
【０１３９】
更にまた、本発明では、カバーとして、巻き取り可能なカバーや、折り畳み可能なカバー等を採用することも可能である。
【０１４０】
また、前記第九実施形態において、襞が並ぶ方向は、縦方向であっても良い。
【０１４１】
また、前記第六実施形態において、網状支持部材１２２の上に板を置くようにしても良い。これにより、ゴミ袋９０が網状支持部材１２２に引っ掛かってやぶれてしまうことを有利に回避することが可能となる。
【０１４２】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【０１４３】
【図１】本発明の第一実施形態としてのゴミ袋支持具を示す斜視図。
【図２】同ゴミ袋支持具を示す正面図。
【図３】同ゴミ袋支持具を示す右側面図。
【図４】同ゴミ袋支持具を示す上面図。
【図５】同ゴミ袋支持具において開放部が形成された状態を示す斜視図。
【図６】同ゴミ袋支持具において突起が支持体用パイプに挿通位置せしめられた状態を示す断面図であって、図４におけるＶＩ−ＶＩ方向に相当する断面図。
【図７】同ゴミ袋支持具において支持体用パイプにゴミ袋の開口周縁部が係止された状態を示す斜視図。
【図８】同ゴミ袋支持具において支持体用パイプにゴミ袋の開口周縁部が係止された状態を示す断面図であって、図４におけるＶＩＩＩ−ＶＩＩＩ方向に相当する断面図。
【図９】同ゴミ袋支持具においてゴミ袋の開口周縁部を蓋体の上方で結んだ状態を示す斜視図。
【図１０】同ゴミ袋支持具において開口周縁部が結ばれたゴミ袋が前方へ引き抜いて取り出すことが出来るようにされている状態を示す斜視図。
【図１１】本発明の第二実施形態としてのゴミ袋支持具を示す斜視図。
【図１２】本発明の第三実施形態としてのゴミ袋支持具を示す斜視図。
【図１３】本発明の第四実施形態としてのゴミ袋支持具を示す斜視図。
【図１４】本発明の第五実施形態としてのゴミ袋支持具を示す斜視図。
【図１５】本発明の第六実施形態としてのゴミ袋支持具を示す斜視図。
【図１６】同ゴミ袋支持具において蓋体が密閉用蓋体に取り換えられた状態を示す斜視図。
【図１７】本発明の第七実施形態としてのゴミ袋支持具を示す斜視図。
【図１８】本発明の第八実施形態としてのゴミ袋支持具を示す右側面図。
【図１９】同ゴミ袋支持具を示す平面図。
【図２０】図１９におけるＸＸ−ＸＸ方向の要部断面図。
【図２１】同ゴミ袋支持具において、外蓋部材を取り外した状態を示す平面図。
【図２２】同ゴミ袋支持具において、外蓋部材が開けられた状態を示す平面図。
【図２３】同ゴミ袋支持具において、外蓋部材と蓋体が開けられた状態を示す要部断面図であって、図１９のＸＸ−ＸＸ方向の要部断面図である。
【図２４】同ゴミ袋支持具において、外蓋部材を着脱する際の外蓋組付片と外蓋用回動中心軸との位置関係を示す側面図。
【図２５】同ゴミ袋支持具において、蓋体を着脱する際の蓋体組付片と蓋体用回動中心軸との位置関係を示す断面図。
【図２６】本発明の第九実施形態としてのゴミ袋支持具を示す斜視図。
【符号の説明】
【０１４４】
１０：ゴミ袋支持具，１２：設置面，４６：開口部枠体，４８：支持部材，５０：周壁部材，６０：開口窓，６２：開口窓，６４：開口窓，６６：開口窓，７２：開放部，７４：開放部，７６：蓋体，７８：投入口，９０：ゴミ袋，９２：開口周縁部
【図１】
2009012879.tif 000003
【図２】
2009012879.tif 000004
【図３】
2009012879.tif 000005
【図４】
2009012879.tif 000006
【図５】
2009012879.tif 000007
【図６】
2009012879.tif 000008
【図７】
2009012879.tif 000009
【図８】
2009012879.tif 000010
【図９】
2009012879.tif 000011
【図１０】
2009012879.tif 000012
【図１１】
2009012879.tif 000013
【図１２】
2009012879.tif 000014
【図１３】
2009012879.tif 000015
【図１４】
2009012879.tif 000016
【図１５】
2009012879.tif 000017
【図１６】
2009012879.tif 000018
【図１７】
2009012879.tif 000019
【図１８】
2009012879.tif 000020
【図１９】
2009012879.tif 000021
【図２０】
2009012879.tif 000022
【図２１】
2009012879.tif 000023
【図２２】
2009012879.tif 000024
【図２３】
2009012879.tif 000025
【図２４】
2009012879.tif 000026
【図２５】
2009012879.tif 000027
【図２６】
2009012879.tif 000028